(57)【要約】【課題】容器支持台に被洗浄容器を載置した状態で、容器内の液体の排出と容器内の洗浄とを容易かつ迅速に行える容器洗浄装置を提供する。【解決手段】有底円筒状の被洗浄容器Ｙの上方開口部から挿入されて施蓋状に取着される洗浄ユニット１を備え、その洗浄ユニット１は、基端10ａ側が排液用ポンプに接続され被洗浄容器Ｙ内の液体を吸い込むための排液通路10と、基端20ａ側が洗浄液用ポンプに接続され被洗浄容器Ｙ内に洗浄液を供給するための洗浄液通路20と、を備え、かつ、排液通路10は、先端に吸込口17ａを有する上下スライド自在な吸込部材17を具備する。【選択図】図１
0003169165.tif 000002
【実用新案登録請求の範囲】
【請求項１】
有底円筒状の被洗浄容器（Ｙ）の上方開口部から挿入されて施蓋状に取着される洗浄ユニット（１）を備え、
上記洗浄ユニット（１）は、基端（10ａ）側が排液用ポンプに接続され該被洗浄容器（Ｙ）内の液体を吸い込むための排液通路（10）と、基端（20ａ）側が洗浄液用ポンプに接続され上記被洗浄容器（Ｙ）内に洗浄液を供給するための洗浄液通路（20）と、を備え、かつ、上記排液通路（10）は、先端に吸込口（17ａ）を有する上下スライド自在な吸込部材（17）を具備することを特徴とする容器洗浄装置。
【請求項２】
上記洗浄ユニット（１）は、上記洗浄液通路（20）に連通連結され、上記被洗浄容器（Ｙ）の容器軸心（Ｌｙ）廻りの螺旋状に洗浄液を噴出旋回させて、上記被洗浄容器（Ｙ）内を洗浄する噴出ノズル（９）を備えている請求項１記載の容器洗浄装置。
【請求項３】
上記噴出ノズル（９）は、上記被洗浄容器（Ｙ）の半径方向に突設されると共に上記容器軸心（Ｌｙ）廻りの等分配に４つ設けられ、上記半径方向の突出軸心（Ｌ９）に対してノズル噴出口（90）の開口軸心（Ｌ90）を平面視直交状に有し、上記容器軸心（Ｌｙ）廻りに回転しないように固設されている請求項２記載の容器洗浄装置。
【請求項４】
上記洗浄液通路（20）は、上記洗浄ユニット（１）の長手方向軸心（Ｌ１）に沿った区間において、上記排液通路（10）を包囲すると共に該排液通路（10）と同軸心上に配設される請求項１，２又は３記載の容器洗浄装置。
【請求項５】
上記洗浄ユニット（１）は、水平状軸心（Ｌａ）廻りに揺動自在なハンドル部材（４）と、下方縮小状の一対の第１勾配面（61）（61）を有する外鍔状の施蓋部材（６）と、上記ハンドル部材（４）に連動して上記施蓋部材（６）を下方へ押圧するためのカム部材（３）と、上記第１勾配面（61）（61）に摺接する一対の上方拡開状の第２勾配面（71）（71）を有する半割り状の突張り部材（７）と、を備え、
上記カム部材（３）にて上記施蓋部材（６）が下方へ押圧された状態で、上記施蓋部材（６）が上記被洗浄容器（Ｙ）を密封状に施蓋すると共に上記第１勾配面（61）（61）が上記第２勾配面（71）（71）を押圧し、上記突張り部材（７）を上記被洗浄容器（Ｙ）の上方開口部内周面に圧接させて、上記洗浄ユニット（１）が上記被洗浄容器（Ｙ）に取着される請求項１，２，３又は４記載の容器洗浄装置。
【考案の詳細な説明】
【技術分野】
【０００１】
本考案は、容器洗浄装置に関する。
【背景技術】
【０００２】
従来、被洗浄容器を洗浄する容器洗浄装置は、洗浄液を噴出する噴出口と、上方突出状の回転ブラシと、を備え、洗浄する際に、被洗浄容器の開口部を下向きにして、回転ブラシに被せるように設置して洗浄を行っていた（例えば、特許文献１参照）。
【先行技術文献】
【特許文献】
【０００３】
【特許文献１】登録実用新案第３０００８１６号公報
【考案の概要】
【考案が解決しようとする課題】
【０００４】
しかし、医薬品等の試験に使用される溶出試験器のベッセルといった被洗浄容器は、被洗浄容器（ベッセル）内に試験に使用した液体があるため、容器内の液体を廃棄処理した後、回転ブラシに被せるように設置しなければならず、時間や手間がかかるという問題があった。
また、容器内の液体を処理するために、試験用の容器支持台から被洗浄容器を取り出す際や、取り出して持ち運びする際、又は、液体を廃棄する際、に被洗浄容器を破損してしまうことがあった。
【０００５】
そこで、本考案は、容器支持台に被洗浄容器を載置した状態で、内部の液体の排出と、内部の洗浄と、を容易かつ迅速に行える容器洗浄装置の提供を目的とする。
【課題を解決するための手段】
【０００６】
上記目的を達成するために、本考案の容器洗浄装置は、有底円筒状の被洗浄容器の上方開口部から挿入されて施蓋状に取着される洗浄ユニットを備え、洗浄ユニットは、基端側が排液用ポンプに接続され該被洗浄容器内の液体を吸い込むための排液通路と、基端側が洗浄液用ポンプに接続され上記被洗浄容器内に洗浄液を供給するための洗浄液通路と、を備え、かつ、上記排液通路は、先端に吸込口を有する上下スライド自在な吸込部材を具備するものである。
また、上記洗浄ユニットは、上記洗浄液通路に連通連結され、上記被洗浄容器の容器軸心廻りの螺旋状に洗浄液を噴出旋回させて、上記被洗浄容器内を洗浄する噴出ノズルを備えているものである。
また、上記噴出ノズルは、上記被洗浄容器の半径方向に突設されると共に上記容器軸心廻りの等分配に４つ設けられ、上記半径方向の突出軸心に対してノズル噴出口の開口軸心を平面視直交状に有し、上記容器軸心廻りに回転しないように固設されているものである。
【０００７】
また、上記洗浄液通路は、上記洗浄ユニットの長手方向軸心に沿った区間において、上記排液通路を包囲すると共に該排液通路と同軸心上に配設されるものである。
また、上記洗浄ユニットは、水平状軸心廻りに揺動自在なハンドル部材と、下方縮小状の一対の第１勾配面を有する外鍔状の施蓋部材と、上記ハンドル部材に連動して上記施蓋部材を下方へ押圧するためのカム部材と、上記第１勾配面に摺接する一対の上方拡開状の第２勾配面を有する半割り状の突張り部材と、を備え、上記カム部材にて上記施蓋部材が下方へ押圧された状態で、上記施蓋部材が上記被洗浄容器を密封状に施蓋すると共に上記第１勾配面が上記第２勾配面を押圧し、上記突張り部材を上記被洗浄容器の上方開口部内周面に圧接させて、上記洗浄ユニットが上記被洗浄容器に取着されるものである。
【考案の効果】
【０００８】
本考案によれば、被洗浄容器を上方開口状とした姿勢のまま、被洗浄容器内の液体を排出でき、かつ、洗浄液を被洗浄容器内に供給できて、迅速かつ容易に洗浄を行える。被洗浄容器を容器支持台から持ち運ぶ手間が削減できると共に、被洗浄容器を落したりぶつけたりして破損させてしまう虞を軽減できる。
【図面の簡単な説明】
【０００９】
【図１】洗浄ユニットの一例を示す要部断面正面図である。
【図２】洗浄ユニットの取着状態を示す要部断面正面図である。
【図３】洗浄ユニットの取着状態を示す平面図である。
【図４】洗浄ユニットの取着状態の要部断面側面図である。
【図５】図２のＡ−Ａ断面図である。
【図６】図２のＢ−Ｂ断面図である。
【考案を実施するための形態】
【００１０】
以下、図示の実施形態に基づき本考案を詳説する。
本考案の容器洗浄装置は、図２に示すように、有底円筒状の被洗浄容器Ｙ（以下、容器Ｙと呼ぶ場合がある）の上方開口部から挿入されて施蓋状に取着される洗浄ユニット１を備えている。
図１及び図２に於て、洗浄ユニット１は、基端10ａ側が排液用ポンプに接続され先端に吸込口17ａを有する排液通路10と、基端20ａ側が洗浄液用ポンプに接続され先端に噴出ノズル９が接続される洗浄液通路20と、を備えている。
【００１１】
図１乃至図４に示すように、排液通路10の基端10ａ側は、Ｌ字状の排液用継手21が接続され、洗浄液通路20の基端20ａ側はストレート状の洗浄液用継手22が接続されている。
ここで、図示省略するが、本考案の容器洗浄装置は、１つのケーシング内に、排液用ポンプと、排液用タンクと、排液用配管と、洗浄液用ポンプと、洗浄液用タンクと、洗浄液用配管と、操作部と、表示部と、制御部と、を有する洗浄機本体を備えている。洗浄機本体と洗浄ユニット１の排液用継手21は排液用ホースを介して接続されている。洗浄機本体と洗浄ユニット１の洗浄液用継手22は洗浄液用ホースを介して接続されている。
【００１２】
図１及び図２に於て、排液通路10及び洗浄液通路20は、複数の円筒状部材（細管部材11、上蓋部材12、供給口用分岐部材13、噴出口用分岐部材14、収納筒部材15、底蓋部材16、吸込部材17）を具備している。
言い換えると、上記複数の円筒状部材を、連通連結して組立てた主軸部材（シャフトアセンブリ）２の内部に、廃液通路10及び洗浄液通路20が形成されていると言える。つまり、上記の複数の円筒状部材によって排液通路10及び洗浄液通路20が形成されているとも言える。
【００１３】
排液通路10は、先端に吸込口17ａを有する上下方向スライド自在な外鍔付細長円筒状の吸込部材17を具備している。吸込口17ａは、底面から見て（平面視）十字スリット状に形成されている。吸込部材17は、排液通路10の先端寄りに形成された細長円柱状の収納空間部10ｄに上部外鍔部がスライド自在に収納され、収納空間部10ｄに内装されている弾発部材18（コイルスプリング）によって、常時下方へ収納空間部10ｄから突出するように弾発付勢されている。
【００１４】
図１と図２及び図６に於て、洗浄液通路20は、洗浄ユニット１の長手方向軸心Ｌ１に沿った区間において、排液通路10の外周を円環状に包囲すると共に、排液通路10と同軸心上に配設された円筒状に形成されている。
さらに、洗浄液通路20は、容器Ｙへの取着状態で、容器Ｙ内の上部に対応する位置（収納空間部10ｄよりも上方位置）に、被洗浄容器Ｙの容器軸心Ｌｙ（洗浄ユニット１の長手方向軸心Ｌ１）廻りの等分配に４つの分岐路を有し、４つの分岐路夫々に、容器Ｙの半径方向に突出して容器内周面に接近するように、噴出ノズル９が連通連結（接続）されている。さらに、半径方向の噴出ノズル９の突出軸心Ｌ９に対して、ノズル噴出口90の開口軸心Ｌ90を、平面視直交状に有している。言い換えると、開口軸心Ｌ90を、容器Ｙの外周面の接線方向に配設している。
【００１５】
また、噴出ノズル９は、主軸部材２（ベース部材５に固着している噴出口用分岐部材14）に螺着して、容器軸心Ｌｙ廻りに回転しないように（回転不可能）に固設されている。そして、容器内周面近傍に配設されるノズル噴出口90から洗浄液を、拡径ラッパ状、かつ、容器内周面に沿わせて噴出させ（滑走させ）、洗浄液を容器軸心Ｌｙ廻りの螺旋状に噴出旋回させて、容器Ｙ内を洗浄するように構成されている。
【００１６】
図１乃至図４に示すように、洗浄ユニット１は、主軸部材２に外嵌状に固着され容器上端面（上端外鍔部）Ｙｂに係止する当り面５ｂを有する外鍔状のベース部材５と、ベース部材５の上面に水平状軸心Ｌａ廻りに揺動自在に取着された手動操作用のハンドル部材４と、主軸部材２に外嵌状に上下スライド自在に取着され下面側に下方縮小状の一対の第１勾配面61，61を有する施蓋部材６と、一対の第１勾配面61，61に夫々摺接する一対の上方拡開状の第２勾配面71，71を有する半割り状の突張り部材７と、を備えている。
さらに、洗浄ユニット１は、べース部材５の上面側で回転軸40を介してハンドル部材４に連動して水平状軸心Ｌａ廻りに回転する板状の複数（２つ）のカム部材３と、長手方向軸心Ｌ１に沿って螺進退可能に主軸部材２に外嵌状に螺着して突張り部材７を下方から支持するナット部材８と、を備えている。
【００１７】
カム部材３は、ベース部材５の貫孔51を介して、突張り部材７の上面に当接し、ハンドル部材４に連動して施蓋部材６を下方へ押圧するように（可能に）設けられている。
施蓋部材６は、下面外周縁部（容器上端面Ｙｂ当接予定部）にゴム板等の円環状のシール部材62を有している。シール部材62の下面が取着状態で被洗浄容器Ｙの上端面Ｙｂに密着する押さえ面６ｂである。また、図１に示すように、非取着状態では、施蓋部材６の押さえ面６ｂがベース部材５の当り面５ｂより上位置に配設されるように、施蓋部材６の下面側に円形窪部を形成している。
ベース部材５には、一対の持ち手部材50，50が固着されると共に２本の回転軸40が水平状軸心Ｌａ廻りに回転自在に取着されている。２本の回転軸40，40は、１つのハンドル部材４と連動連結している。
【００１８】
図５に示すように、突張り部材７は、平面視で容器Ｙの半径よりも小さい曲率半径で形成された一対の円弧状の押圧部73，73を有している。押圧部73は、拡開状態で容器内周面を押圧する位置にゴム等の緩衝部材72を有している。図５は、突張り部材７が拡開した状態を示し、主軸部材２は図示省略している。
突張り部材７は、容器径方向外方側に押圧部73を有すると共に容器径方向内方側に第２勾配面71を有する一対の半割り部材79，79と、一対の半割り部材79，79を連結する複数の連結軸部材78，78と、半割り部材79，79を相互接近するように常時弾発付勢する複数のバネ部材77と、を有している。なお、一方の押圧部73の容器径方向最外端と他方の押圧部73の容器径方向最外端の距離を突張り部材７の幅寸法Ｄ７と呼ぶ。
また、ナット部材８は、ナット部材８の雌ネジ孔の接線方向に螺進退して、雌ネジ部を拡縮径させ、ナット部材８を固定と螺進退可能に切り換えるための、調整ボルト81及びスリット部82を有している。
【００１９】
また、図５に示すように、突張り部材７は、四角形状の中心貫孔を有し、中心貫孔の対向する一対の内面を第２勾配面71，71とし、残りの対向する一対の内面を第２ストレート面としている。
そして、施蓋部材６は、突張り部材７の中心貫孔に対応するように、四角形状の下方凸部を形成し、下方凸部の対向する一対の側面を第１勾配面61，61とし、残りの対向する一対の側面を第１ストレート面としている。
施蓋部材６及び突張り部材７は、第１勾配面61と第２勾配面71を摺接させ、第１ストレート面と第２ストレート面を対応させ、下方凸部を中心貫孔に差し込むことで、長手方向軸心Ｌ１廻りの相互回転を防止（規制）している。
【００２０】
次に、上述した本考案の容器洗浄装置の使用方法（作用）について説明する。
図１に示すように洗浄ユニット１は、容器Ｙに挿入する前の基準状態において、吸込部材17の外鍔部が底蓋部材16に係止されるまで、弾発部材18によって弾発付勢され、収納空間部10ｄから下方突出状に配設される。
また、突張り部材７がバネ部材77によって容器径方向内方へ縮小し、突張り部材７の幅寸法Ｄ７が容器内径寸法Ｄｙよりも小さくなっている。
バネ部材77によって一対の第２勾配面71，71が相互に接近して、施蓋部材６の一対の第１勾配面61，61を押圧し、第２勾配面71と第１勾配面61の摺動作用によって施蓋部材６の押さえ面６ｂがベース部材５の当り面５ｂより上位置に保持されている。
【００２１】
そして、溶出試験器のベッセル等の容器Ｙを溶出試験器の容器支持台に支持させたままの状態で、洗浄ユニット１の長手方向軸心Ｌ１を容器軸心Ｌｙと同心上となるように、上方開口部から挿入して、ベース部材５の当り面５ｂを容器上端面Ｙｂに係止させて、施蓋状に配設する。吸込部材17の先端が容器Ｙの底部に当接して押されると、吸込部材17が収納空間部10ｄ内に収納され、排液通路10（主軸部材２）が、短縮する。
【００２２】
その後、図４に示すように、ハンドル部材４を二点差線で示す基準位置から水平状軸心Ｌａ廻りに揺動させると、カム部材３が回転して、施蓋部材６を下方へ押圧する。
すると、図２に示すように、施蓋部材６の押さえ面６ｂが容器上端面Ｙｂに押し付けられ、シール部材62によって、密封状に施蓋する。なお、主軸部材２と施蓋部材６の間にはＯリング等の摺接シール部材が介装されており、容器Ｙは密閉状態となる。
さらに、第１勾配面61が第２勾配面71を押圧し、図５に示すように、突張り部材７を拡開（拡大）して、突張り部材７の幅寸法Ｄ７が容器内径寸法Ｄｙと同等となり、緩衝部材72が上方開口部内面（容器内周面上部）に圧接し、洗浄ユニット１が容器Ｙに取着される。
【００２３】
図２に示すように、突張り部材７が内張りした取着状態では、カム部材３が施蓋部材６を押圧することで得られる摩擦力、及び、施蓋部材６が容器上端面Ｙｂに押圧することで得られる摩擦力によって、主軸部材２は容器軸心Ｌｙ（長手方向Ｌ１）廻りに回転不可能に取着される。
【００２４】
そして、図示省略の洗浄機本体の操作部を操作して、容器Ｙ内にある、試験液等の不要な液体を、排液通路10を介して容器Ｙ内から洗浄機本体へ排出する。
その後、洗浄機本体から供給される洗浄液を洗浄液通路20を介して噴出ノズル９から容器Ｙ内に噴出させる。噴出中は、主軸部材２（噴出口用分岐部材14）及び噴出ノズル９は、長手方向軸心Ｌ１及び容器軸心Ｌｙ廻りに回転しない。
【００２５】
各噴出ノズル９の噴出口90から噴射された洗浄液は、容器Ｙ上部から底部に向かって、かつ、容器内周面に沿って、洗浄液を容器軸心Ｌｙ廻りの螺旋状旋回流（サイクロン流）を発生させて、容器Ｙ内を洗浄する。洗浄液噴出後に、容器Ｙ内に溜まった洗浄液を、排液通路10を介して容器Ｙ内から排出する。なお、噴出旋回洗浄と溜まった洗浄液の排出を交互に数回繰り返して行うのが望ましいが、略同時に行っても良い。
【００２６】
また、洗浄ユニット１は、様々な容器内径寸法Ｄｙに対応可能である。
施蓋部材６の上下スライドストロークはカム部材３偏心による押圧ストローク寸法によって一定であり、突張り部材７の容器径方向の拡開ストローク寸法も一定である。
ところが、ナット部材８を上方へ螺進させると、第１勾配面61と第２勾配面71の摺動作用により突張り部材７の幅寸法Ｄ７を、図１に示す状態よりも大きくした状態を取着前の基準状態とできる。つまり、ハンドル部材４の揺動ストークを小さいまま変化させずに、突張り部材７の拡開前の幅寸法Ｄ７を調整自在とし、その後、上述と同様に拡開することで、様々な容器内径寸法Ｄｙの被洗浄容器Ｙに取着可能としている。
【００２７】
なお、本考案は設計変更可能であって、主軸部材２を構成する円筒状の部材の形状や種類は自由であって、例えば、上蓋部材12と供給口用分岐部材13を一体状として１つの部品とするも良い。また、噴出口用分岐部材14と収納筒部材15とを一体状として１つの部品とするも良い。
【００２８】
以上のように、本考案の容器洗浄装置は、有底円筒状の被洗浄容器Ｙの上方開口部から挿入されて施蓋状に取着される洗浄ユニット１を備え、洗浄ユニット１は、基端10ａ側が排液用ポンプに接続され被洗浄容器Ｙ内の液体を吸い込むための排液通路10と、基端20ａ側が洗浄液用ポンプに接続され被洗浄容器Ｙ内に洗浄液を供給するための洗浄液通路20と、を備え、かつ、排液通路10は、先端に吸込口17ａを有する上下スライド自在な吸込部材17を具備するので、被洗浄容器を上方開口状とした姿勢のまま、被洗浄容器Ｙ内の液体を排出でき、かつ、洗浄液を容器Ｙ内に供給できて、迅速かつ容易に洗浄を行える。被洗浄容器Ｙを容器支持台から持ち運ぶ手間が削減できると共に、被洗浄容器を落したりぶつけたりして破損させてしまう虞を軽減できる。様々な長さの容器Ｙに対応できる。
【００２９】
また、洗浄ユニット１は、洗浄液通路20に連通連結され、被洗浄容器Ｙの容器軸心Ｌｙ廻りの螺旋状に洗浄液を噴出旋回させて、被洗浄容器Ｙ内を洗浄する噴出ノズル９を備えているので、ブラシに比べて容器内周面を傷付ける虞がない。また、容器内周面に付着した汚れや残留液等を小さな噴出圧で確実に洗い落とすことができる。容器Ｙ内全体を均一に洗浄できる。
【００３０】
また、噴出ノズル９は、被洗浄容器Ｙの半径方向に突設されると共に容器軸心Ｌｙ廻りの等分配に４つ設けられ、半径方向の突出軸心Ｌ９に対してノズル噴出口90の開口軸心Ｌ90を平面視直交状に有し、容器軸心Ｌｙ廻りに回転しないように固設されているので、小さな噴出圧で確実に旋回流を発生させることができ、効率よく洗浄できる。噴出ノズル９が３つ以下である場合にくらべて、確実に洗浄液を容器Ｙの円周方向に沿わせて、確実に容器内周面を洗浄できる。噴出ノズル９が５つ以上である場合に比べて、洗浄液用ポンプの出力（吐出容量）を小さくでき、洗浄機本体の小型・軽量化が行えると共に消費電力を少なくでき、効率の良く洗浄を行うことができる。
【００３１】
また、洗浄液通路20は、洗浄ユニット１の長手方向軸心Ｌ１に沿った区間において、排液通路10を包囲すると共に排液通路10と同軸心上に配設されるので、主軸部材２の径を細くでき、洗浄ユニット１を小型・軽量化できる。また、排液通路10と洗浄液通路20を形成するための部材を容易に製作できる。
【００３２】
また、洗浄ユニット１は、水平状軸心Ｌａ廻りに揺動自在なハンドル部材４と、下方縮小状の一対の第１勾配面61，61を有する外鍔状の施蓋部材６と、ハンドル部材４に連動して施蓋部材６を下方へ押圧するためのカム部材３と、第１勾配面61，61に摺接する一対の上方拡開状の第２勾配面71，71を有する半割り状の突張り部材７と、を備え、カム部材３にて施蓋部材６が下方へ押圧された状態で、施蓋部材６が被洗浄容器Ｙを密封状に施蓋すると共に第１勾配面61，61が第２勾配面71，71を押圧し、突張り部材７を被洗浄容器Ｙの上方開口部内周面に圧接させて、洗浄ユニット１が被洗浄容器Ｙに取着されるので、容器Ｙを密閉状にしつつ確実に洗浄ユニット１を固定でき、洗浄中に洗浄ユニット１が外れたり位置ズレして容器Ｙを傷つけるのを防止できる。容易かつ確実に洗浄ユニット１を容器Ｙに対して着脱できる。また、洗浄ユニット１を容器Ｙに挿入する際に、突張り部材７の幅寸法Ｄ７を容器内径寸法Ｄｙより小さくでき、無理なく容易に挿入することができる。
【符号の説明】
【００３３】
１  洗浄ユニット
３  カム部材
４  ハンドル部材
６  旋盤部材
７  突張り部材
９  噴出ノズル
10  排液通路
10ａ  基端
17  吸込部材
17ａ  吸込口
20  洗浄液通路
20ａ  基端
61  第１勾配面
71  第２勾配面
90  ノズル噴出口
Ｌ１  長手方向軸心
Ｌ９  突出軸心
Ｌ90  開口軸心
Ｌａ  水平状軸心
Ｌｙ  容器軸心
Ｙ  被洗浄容器
【図１】
0003169165.tif 000003
【図２】
0003169165.tif 000004
【図３】
0003169165.tif 000005
【図４】
0003169165.tif 000006
【図５】
0003169165.tif 000007
【図６】
0003169165.tif 000008
【手続補正書】
【提出日】平成23年5月16日(2011.5.16)
【手続補正１】
【補正対象書類名】実用新案登録請求の範囲
【補正対象項目名】全文
【補正方法】変更
【補正の内容】
【実用新案登録請求の範囲】
【請求項１】
有底円筒状の被洗浄容器（Ｙ）の上方開口部から挿入されて施蓋状に取着される洗浄ユニット（１）を備え、
上記洗浄ユニット（１）は、上端（10ａ）側が排液用ポンプに接続され該被洗浄容器（Ｙ）内の液体を吸い込むための排液通路（10）と、上端（20ａ）側が洗浄液用ポンプに接続され上記被洗浄容器（Ｙ）内に洗浄液を供給するための洗浄液通路（20）と、上記被洗浄容器（Ｙ）の容器軸心（Ｌｙ）廻りの螺旋状に洗浄液を噴出旋回させて上記被洗浄容器（Ｙ）内を洗浄する噴出ノズル（９）と、を備え、
上記排液通路（10）は、下端に吸込口（17ａ）を有する上下スライド自在な吸込部材（17）を、下端に具備すると共に、上記洗浄ユニット（１）の長手方向軸心（Ｌ１）に沿って、上記洗浄ユニット（１）の上端側から上記洗浄ユニット（１）の下端にわたって配設され、
上記洗浄液通路（20）は、上記長手方向軸心（Ｌ１）に沿って、上記洗浄ユニット（１）の上端側から上記洗浄ユニット（１）の上下中間位置にわたって配設され、
上記噴出ノズル（９）は、上記洗浄ユニット（１）の上下中間位置で、上記洗浄液通路（20）と連通連結して配設されていることを特徴とする容器洗浄装置。
【請求項２】
上記噴出ノズル（９）は、上記被洗浄容器（Ｙ）の半径方向に突設されると共に上記容器軸心（Ｌｙ）廻りの等分配に４つ設けられ、上記半径方向の突出軸心（Ｌ９）に対してノズル噴出口（90）の開口軸心（Ｌ90）を平面視直交状に有し、上記容器軸心（Ｌｙ）廻りに回転しないように固設されている請求項１記載の容器洗浄装置。
【請求項３】
上記洗浄液通路（20）は、上記長手方向軸心（Ｌ１）に沿った区間において、上記排液通路（10）を包囲すると共に該排液通路（10）と同軸心上に配設される請求項１又は２記載の容器洗浄装置。
【請求項４】
上記洗浄ユニット（１）は、水平状軸心（Ｌａ）廻りに揺動自在なハンドル部材（４）と、下方縮小状の一対の第１勾配面（61）（61）を有する外鍔状の施蓋部材（６）と、上記ハンドル部材（４）に連動して上記施蓋部材（６）を下方へ押圧するためのカム部材（３）と、上記第１勾配面（61）（61）に摺接する一対の上方拡開状の第２勾配面（71）（71）を有する半割り状の突張り部材（７）と、を備え、
上記カム部材（３）にて上記施蓋部材（６）が下方へ押圧された状態で、上記施蓋部材（６）が上記被洗浄容器（Ｙ）を密封状に施蓋すると共に上記第１勾配面（61）（61）が上記第２勾配面（71）（71）を押圧し、上記突張り部材（７）を上記被洗浄容器（Ｙ）の上方開口部内周面に圧接させて、上記洗浄ユニット（１）が上記被洗浄容器（Ｙ）に取着される請求項１，２又は３記載の容器洗浄装置。
【手続補正２】
【補正対象書類名】明細書
【補正対象項目名】全文
【補正方法】変更
【補正の内容】
【考案の詳細な説明】
【技術分野】
【０００１】
本考案は、容器洗浄装置に関する。
【背景技術】
【０００２】
従来、被洗浄容器を洗浄する容器洗浄装置は、洗浄液を噴出する噴出口と、上方突出状の回転ブラシと、を備え、洗浄する際に、被洗浄容器の開口部を下向きにして、回転ブラシに被せるように設置して洗浄を行っていた（例えば、特許文献１参照）。
【先行技術文献】
【特許文献】
【０００３】
【特許文献１】登録実用新案第３０００８１６号公報
【考案の概要】
【考案が解決しようとする課題】
【０００４】
しかし、医薬品等の試験に使用される溶出試験器のベッセルといった被洗浄容器は、被洗浄容器（ベッセル）内に試験に使用した液体があるため、容器内の液体を廃棄処理した後、回転ブラシに被せるように設置しなければならず、時間や手間がかかるという問題があった。
また、容器内の液体を処理するために、試験用の容器支持台から被洗浄容器を取り出す際や、取り出して持ち運びする際、又は、液体を廃棄する際、に被洗浄容器を破損してしまうことがあった。
【０００５】
そこで、本考案は、容器支持台に被洗浄容器を載置した状態で、内部の液体の排出と、内部の洗浄と、を容易かつ迅速に行える容器洗浄装置の提供を目的とする。
【課題を解決するための手段】
【０００６】
上記目的を達成するために、本考案の容器洗浄装置は、有底円筒状の被洗浄容器の上方開口部から挿入されて施蓋状に取着される洗浄ユニットを備え、上記洗浄ユニットは、上端側が排液用ポンプに接続され該被洗浄容器内の液体を吸い込むための排液通路と、上端側が洗浄液用ポンプに接続され上記被洗浄容器内に洗浄液を供給するための洗浄液通路と、上記被洗浄容器の容器軸心廻りの螺旋状に洗浄液を噴出旋回させて上記被洗浄容器内を洗浄する噴出ノズルと、を備え、上記排液通路は、下端に吸込口を有する上下スライド自在な吸込部材を、下端に具備すると共に、上記洗浄ユニットの長手方向軸心に沿って、上記洗浄ユニットの上端側から上記洗浄ユニットの下端にわたって配設され、上記洗浄液通路は、上記長手方向軸心に沿って、上記洗浄ユニットの上端側から上記洗浄ユニットの上下中間位置にわたって配設され、上記噴出ノズルは、上記洗浄ユニットの上下中間位置で、上記洗浄液通路と連通連結して配設されているものである。
また、上記噴出ノズルは、上記被洗浄容器の半径方向に突設されると共に上記容器軸心廻りの等分配に４つ設けられ、上記半径方向の突出軸心に対してノズル噴出口の開口軸心を平面視直交状に有し、上記容器軸心廻りに回転しないように固設されているものである。
【０００７】
また、上記洗浄液通路は、上記長手方向軸心に沿った区間において、上記排液通路を包囲すると共に該排液通路と同軸心上に配設されるものである。
また、上記洗浄ユニットは、水平状軸心廻りに揺動自在なハンドル部材と、下方縮小状の一対の第１勾配面を有する外鍔状の施蓋部材と、上記ハンドル部材に連動して上記施蓋部材を下方へ押圧するためのカム部材と、上記第１勾配面に摺接する一対の上方拡開状の第２勾配面を有する半割り状の突張り部材と、を備え、上記カム部材にて上記施蓋部材が下方へ押圧された状態で、上記施蓋部材が上記被洗浄容器を密封状に施蓋すると共に上記
第１勾配面が上記第２勾配面を押圧し、上記突張り部材を上記被洗浄容器の上方開口部内周面に圧接させて、上記洗浄ユニットが上記被洗浄容器に取着されるものである。
【考案の効果】
【０００８】
本考案によれば、被洗浄容器を上方開口状とした姿勢のまま、被洗浄容器内の液体を排出でき、かつ、洗浄液を被洗浄容器内に供給できて、迅速かつ容易に洗浄を行える。被洗浄容器を容器支持台から持ち運ぶ手間が削減できると共に、被洗浄容器を落したりぶつけたりして破損させてしまう虞を軽減できる。
【図面の簡単な説明】
【０００９】
【図１】洗浄ユニットの一例を示す要部断面正面図である。
【図２】洗浄ユニットの取着状態を示す要部断面正面図である。
【図３】洗浄ユニットの取着状態を示す平面図である。
【図４】洗浄ユニットの取着状態の要部断面側面図である。
【図５】図２のＡ−Ａ断面図である。
【図６】図２のＢ−Ｂ断面図である。
【考案を実施するための形態】
【００１０】
以下、図示の実施形態に基づき本考案を詳説する。
本考案の容器洗浄装置は、図２に示すように、有底円筒状の被洗浄容器Ｙ（以下、容器Ｙと呼ぶ場合がある）の上方開口部から挿入されて施蓋状に取着される洗浄ユニット１を備えている。
図１及び図２に於て、洗浄ユニット１は、上端（基端）10ａ側が排液用ポンプに接続され下端（先端）に吸込口17ａを有する排液通路10と、上端（基端）20ａ側が洗浄液用ポンプに接続され下端（先端）に噴出ノズル９が接続される洗浄液通路20と、を備えている。
【００１１】
図１乃至図４に示すように、排液通路10の上端10ａ側は、Ｌ字状の排液用継手21が接続され、洗浄液通路20の上端20ａ側はストレート状の洗浄液用継手22が接続されている。
ここで、図示省略するが、本考案の容器洗浄装置は、１つのケーシング内に、排液用ポンプと、排液用タンクと、排液用配管と、洗浄液用ポンプと、洗浄液用タンクと、洗浄液用配管と、操作部と、表示部と、制御部と、を有する洗浄機本体を備えている。洗浄機本体と洗浄ユニット１の排液用継手21は排液用ホースを介して接続されている。洗浄機本体と洗浄ユニット１の洗浄液用継手22は洗浄液用ホースを介して接続されている。
【００１２】
図１及び図２に於て、排液通路10及び洗浄液通路20は、複数の円筒状部材（細管部材11、上蓋部材12、供給口用分岐部材13、噴出口用分岐部材14、収納筒部材15、底蓋部材16、吸込部材17）を具備している。
言い換えると、上記複数の円筒状部材を、連通連結して組立てた主軸部材（シャフトアセンブリ）２の内部に、廃液通路10及び洗浄液通路20が形成されていると言える。つまり、上記の複数の円筒状部材によって排液通路10及び洗浄液通路20が形成されているとも言える。
【００１３】
排液通路10は、下端（先端）に吸込口17ａを有する上下方向スライド自在な外鍔付細長円筒状の吸込部材17を具備している。吸込口17ａは、底面から見て（平面視）十字スリット状に形成されている。吸込部材17は、排液通路10の下端（先端）寄りに形成された細長円柱状の収納空間部10ｄに上部外鍔部がスライド自在に収納され、収納空間部10ｄに内装されている弾発部材18（コイルスプリング）によって、常時下方へ収納空間部10ｄから突出するように弾発付勢されている。
【００１４】
図１と図２及び図６に於て、洗浄液通路20は、洗浄ユニット１の長手方向軸心Ｌ１に沿
った区間において、排液通路10の外周を円環状に包囲すると共に、排液通路10と同軸心上に配設された円筒状に形成されている。
さらに、洗浄液通路20は、容器Ｙへの取着状態で、容器Ｙ内の上部に対応する位置（収納空間部10ｄよりも上方位置）に、被洗浄容器Ｙの容器軸心Ｌｙ（洗浄ユニット１の長手方向軸心Ｌ１）廻りの等分配に４つの分岐路を有し、４つの分岐路夫々に、容器Ｙの半径方向に突出して容器内周面に接近するように、噴出ノズル９が連通連結（接続）されている。さらに、半径方向の噴出ノズル９の突出軸心Ｌ９に対して、ノズル噴出口90の開口軸心Ｌ90を、平面視直交状に有している。言い換えると、開口軸心Ｌ90を、容器Ｙの外周面の接線方向に配設している。
【００１５】
また、噴出ノズル９は、主軸部材２（ベース部材５に固着している噴出口用分岐部材14）に螺着して、容器軸心Ｌｙ廻りに回転しないように（回転不可能）に固設されている。そして、容器内周面近傍に配設されるノズル噴出口90から洗浄液を、拡径ラッパ状、かつ、容器内周面に沿わせて噴出させ（滑走させ）、洗浄液を容器軸心Ｌｙ廻りの螺旋状に噴出旋回させて、容器Ｙ内を洗浄するように構成されている。
【００１６】
図１乃至図４に示すように、洗浄ユニット１は、主軸部材２に外嵌状に固着され容器上端面（上端外鍔部）Ｙｂに係止する当り面５ｂを有する外鍔状のベース部材５と、ベース部材５の上面に水平状軸心Ｌａ廻りに揺動自在に取着された手動操作用のハンドル部材４と、主軸部材２に外嵌状に上下スライド自在に取着され下面側に下方縮小状の一対の第１勾配面61，61を有する施蓋部材６と、一対の第１勾配面61，61に夫々摺接する一対の上方拡開状の第２勾配面71，71を有する半割り状の突張り部材７と、を備えている。
さらに、洗浄ユニット１は、べース部材５の上面側で回転軸40を介してハンドル部材４に連動して水平状軸心Ｌａ廻りに回転する板状の複数（２つ）のカム部材３と、長手方向軸心Ｌ１に沿って螺進退可能に主軸部材２に外嵌状に螺着して突張り部材７を下方から支持するナット部材８と、を備えている。
【００１７】
カム部材３は、ベース部材５の貫孔51を介して、突張り部材７の上面に当接し、ハンドル部材４に連動して施蓋部材６を下方へ押圧するように（可能に）設けられている。
施蓋部材６は、下面外周縁部（容器上端面Ｙｂ当接予定部）にゴム板等の円環状のシール部材62を有している。シール部材62の下面が取着状態で被洗浄容器Ｙの上端面Ｙｂに密着する押さえ面６ｂである。また、図１に示すように、非取着状態では、施蓋部材６の押さえ面６ｂがベース部材５の当り面５ｂより上位置に配設されるように、施蓋部材６の下面側に円形窪部を形成している。
ベース部材５には、一対の持ち手部材50，50が固着されると共に２本の回転軸40が水平状軸心Ｌａ廻りに回転自在に取着されている。２本の回転軸40，40は、１つのハンドル部材４と連動連結している。
【００１８】
図５に示すように、突張り部材７は、平面視で容器Ｙの半径よりも小さい曲率半径で形成された一対の円弧状の押圧部73，73を有している。押圧部73は、拡開状態で容器内周面を押圧する位置にゴム等の緩衝部材72を有している。図５は、突張り部材７が拡開した状態を示し、主軸部材２は図示省略している。
突張り部材７は、容器径方向外方側に押圧部73を有すると共に容器径方向内方側に第２勾配面71を有する一対の半割り部材79，79と、一対の半割り部材79，79を連結する複数の連結軸部材78，78と、半割り部材79，79を相互接近するように常時弾発付勢する複数のバネ部材77と、を有している。なお、一方の押圧部73の容器径方向最外端と他方の押圧部73の容器径方向最外端の距離を突張り部材７の幅寸法Ｄ７と呼ぶ。
また、ナット部材８は、ナット部材８の雌ネジ孔の接線方向に螺進退して、雌ネジ部を拡縮径させ、ナット部材８を固定と螺進退可能に切り換えるための、調整ボルト81及びスリット部82を有している。
【００１９】
また、図５に示すように、突張り部材７は、四角形状の中心貫孔を有し、中心貫孔の対向する一対の内面を第２勾配面71，71とし、残りの対向する一対の内面を第２ストレート面としている。
そして、施蓋部材６は、突張り部材７の中心貫孔に対応するように、四角形状の下方凸部を形成し、下方凸部の対向する一対の側面を第１勾配面61，61とし、残りの対向する一対の側面を第１ストレート面としている。
施蓋部材６及び突張り部材７は、第１勾配面61と第２勾配面71を摺接させ、第１ストレート面と第２ストレート面を対応させ、下方凸部を中心貫孔に差し込むことで、長手方向軸心Ｌ１廻りの相互回転を防止（規制）している。
【００２０】
次に、上述した本考案の容器洗浄装置の使用方法（作用）について説明する。
図１に示すように洗浄ユニット１は、容器Ｙに挿入する前の基準状態において、吸込部材17の外鍔部が底蓋部材16に係止されるまで、弾発部材18によって弾発付勢され、収納空間部10ｄから下方突出状に配設される。
また、突張り部材７がバネ部材77によって容器径方向内方へ縮小し、突張り部材７の幅寸法Ｄ７が容器内径寸法Ｄｙよりも小さくなっている。
バネ部材77によって一対の第２勾配面71，71が相互に接近して、施蓋部材６の一対の第１勾配面61，61を押圧し、第２勾配面71と第１勾配面61の摺動作用によって施蓋部材６の押さえ面６ｂがベース部材５の当り面５ｂより上位置に保持されている。
【００２１】
そして、溶出試験器のベッセル等の容器Ｙを溶出試験器の容器支持台に支持させたままの状態で、洗浄ユニット１の長手方向軸心Ｌ１を容器軸心Ｌｙと同心上となるように、上方開口部から挿入して、ベース部材５の当り面５ｂを容器上端面Ｙｂに係止させて、施蓋状に配設する。吸込部材17の下端が容器Ｙの底部に当接して押されると、吸込部材17が収納空間部10ｄ内に収納され、排液通路10（主軸部材２）が、短縮する。
【００２２】
その後、図４に示すように、ハンドル部材４を二点差線で示す基準位置から水平状軸心Ｌａ廻りに揺動させると、カム部材３が回転して、施蓋部材６を下方へ押圧する。
すると、図２に示すように、施蓋部材６の押さえ面６ｂが容器上端面Ｙｂに押し付けられ、シール部材62によって、密封状に施蓋する。なお、主軸部材２と施蓋部材６の間にはＯリング等の摺接シール部材が介装されており、容器Ｙは密閉状態となる。
さらに、第１勾配面61が第２勾配面71を押圧し、図５に示すように、突張り部材７を拡開（拡大）して、突張り部材７の幅寸法Ｄ７が容器内径寸法Ｄｙと同等となり、緩衝部材72が上方開口部内面（容器内周面上部）に圧接し、洗浄ユニット１が容器Ｙに取着される。
【００２３】
図２に示すように、突張り部材７が内張りした取着状態では、カム部材３が施蓋部材６を押圧することで得られる摩擦力、及び、施蓋部材６が容器上端面Ｙｂに押圧することで得られる摩擦力によって、主軸部材２は容器軸心Ｌｙ（長手方向Ｌ１）廻りに回転不可能に取着される。
【００２４】
そして、図示省略の洗浄機本体の操作部を操作して、容器Ｙ内にある、試験液等の不要な液体を、排液通路10を介して容器Ｙ内から洗浄機本体へ排出する。
その後、洗浄機本体から供給される洗浄液を洗浄液通路20を介して噴出ノズル９から容器Ｙ内に噴出させる。噴出中は、主軸部材２（噴出口用分岐部材14）及び噴出ノズル９は、長手方向軸心Ｌ１及び容器軸心Ｌｙ廻りに回転しない。
【００２５】
各噴出ノズル９の噴出口90から噴射された洗浄液は、容器Ｙ上部から底部に向かって、かつ、容器内周面に沿って、洗浄液を容器軸心Ｌｙ廻りの螺旋状旋回流（サイクロン流）
を発生させて、容器Ｙ内を洗浄する。洗浄液噴出後に、容器Ｙ内に溜まった洗浄液を、排液通路10を介して容器Ｙ内から排出する。なお、噴出旋回洗浄と溜まった洗浄液の排出を交互に数回繰り返して行うのが望ましいが、略同時に行っても良い。
【００２６】
また、洗浄ユニット１は、様々な容器内径寸法Ｄｙに対応可能である。
施蓋部材６の上下スライドストロークはカム部材３偏心による押圧ストローク寸法によって一定であり、突張り部材７の容器径方向の拡開ストローク寸法も一定である。
ところが、ナット部材８を上方へ螺進させると、第１勾配面61と第２勾配面71の摺動作用により突張り部材７の幅寸法Ｄ７を、図１に示す状態よりも大きくした状態を取着前の基準状態とできる。つまり、ハンドル部材４の揺動ストークを小さいまま変化させずに、突張り部材７の拡開前の幅寸法Ｄ７を調整自在とし、その後、上述と同様に拡開することで、様々な容器内径寸法Ｄｙの被洗浄容器Ｙに取着可能としている。
【００２７】
なお、本考案は設計変更可能であって、主軸部材２を構成する円筒状の部材の形状や種類は自由であって、例えば、上蓋部材12と供給口用分岐部材13を一体状として１つの部品とするも良い。また、噴出口用分岐部材14と収納筒部材15とを一体状として１つの部品とするも良い。
【００２８】
以上のように、本考案の容器洗浄装置は、有底円筒状の被洗浄容器Ｙの上方開口部から挿入されて施蓋状に取着される洗浄ユニット１を備え、洗浄ユニット１は、上端10ａ側が排液用ポンプに接続され被洗浄容器Ｙ内の液体を吸い込むための排液通路10と、上端20ａ側が洗浄液用ポンプに接続され被洗浄容器Ｙ内に洗浄液を供給するための洗浄液通路20と、を備え、かつ、排液通路10は、下端に吸込口17ａを有する上下スライド自在な吸込部材17を具備するので、被洗浄容器を上方開口状とした姿勢のまま、被洗浄容器Ｙ内の液体を排出でき、かつ、洗浄液を容器Ｙ内に供給できて、迅速かつ容易に洗浄を行える。被洗浄容器Ｙを容器支持台から持ち運ぶ手間が削減できると共に、被洗浄容器を落したりぶつけたりして破損させてしまう虞を軽減できる。様々な長さの容器Ｙに対応できる。
【００２９】
また、洗浄ユニット１は、洗浄液通路20に連通連結され、被洗浄容器Ｙの容器軸心Ｌｙ廻りの螺旋状に洗浄液を噴出旋回させて、被洗浄容器Ｙ内を洗浄する噴出ノズル９を備えているので、ブラシに比べて容器内周面を傷付ける虞がない。また、容器内周面に付着した汚れや残留液等を小さな噴出圧で確実に洗い落とすことができる。容器Ｙ内全体を均一に洗浄できる。
【００３０】
また、噴出ノズル９は、被洗浄容器Ｙの半径方向に突設されると共に容器軸心Ｌｙ廻りの等分配に４つ設けられ、半径方向の突出軸心Ｌ９に対してノズル噴出口90の開口軸心Ｌ90を平面視直交状に有し、容器軸心Ｌｙ廻りに回転しないように固設されているので、小さな噴出圧で確実に旋回流を発生させることができ、効率よく洗浄できる。噴出ノズル９が３つ以下である場合にくらべて、確実に洗浄液を容器Ｙの円周方向に沿わせて、確実に容器内周面を洗浄できる。噴出ノズル９が５つ以上である場合に比べて、洗浄液用ポンプの出力（吐出容量）を小さくでき、洗浄機本体の小型・軽量化が行えると共に消費電力を少なくでき、効率の良く洗浄を行うことができる。
【００３１】
また、洗浄液通路20は、洗浄ユニット１の長手方向軸心Ｌ１に沿った区間において、排液通路10を包囲すると共に排液通路10と同軸心上に配設されるので、主軸部材２の径を細くでき、洗浄ユニット１を小型・軽量化できる。また、排液通路10と洗浄液通路20を形成するための部材を容易に製作できる。
【００３２】
また、洗浄ユニット１は、水平状軸心Ｌａ廻りに揺動自在なハンドル部材４と、下方縮小状の一対の第１勾配面61，61を有する外鍔状の施蓋部材６と、ハンドル部材４に連動し
て施蓋部材６を下方へ押圧するためのカム部材３と、第１勾配面61，61に摺接する一対の上方拡開状の第２勾配面71，71を有する半割り状の突張り部材７と、を備え、カム部材３にて施蓋部材６が下方へ押圧された状態で、施蓋部材６が被洗浄容器Ｙを密封状に施蓋すると共に第１勾配面61，61が第２勾配面71，71を押圧し、突張り部材７を被洗浄容器Ｙの上方開口部内周面に圧接させて、洗浄ユニット１が被洗浄容器Ｙに取着されるので、容器Ｙを密閉状にしつつ確実に洗浄ユニット１を固定でき、洗浄中に洗浄ユニット１が外れたり位置ズレして容器Ｙを傷つけるのを防止できる。容易かつ確実に洗浄ユニット１を容器Ｙに対して着脱できる。また、洗浄ユニット１を容器Ｙに挿入する際に、突張り部材７の幅寸法Ｄ７を容器内径寸法Ｄｙより小さくでき、無理なく容易に挿入することができる。
【符号の説明】
【００３３】
１  洗浄ユニット
３  カム部材
４  ハンドル部材
６  旋盤部材
７  突張り部材
９  噴出ノズル
10  排液通路
10ａ  上端
17  吸込部材
17ａ  吸込口
20  洗浄液通路
20ａ  上端
61  第１勾配面
71  第２勾配面
90  ノズル噴出口
Ｌ１  長手方向軸心
Ｌ９  突出軸心
Ｌ90  開口軸心
Ｌａ  水平状軸心
Ｌｙ  容器軸心
Ｙ  被洗浄容器